(57)【特許請求の範囲】
【請求項１】
対向して配置された第１の側板及び第２の側板と、前記第１の側板の端縁に折り曲げ線を介して連接されて、内側に折り曲げられる内フラップと、前記第２の側板の端縁に折り曲げ線を介して連接されて、内側に折り曲げられて前記内フラップの外側に重ねられる外フラップと、を備え、
前記内フラップには前記折り曲げ線に沿ってスリットが形成され、前記外フラップの先端縁には前記スリットに差し込まれる差込片が形成されており、
前記差込片の側縁には、折り畳むことで前記スリットに挿入可能となる一方で該スリットに挿入後には折り畳みが解除されて前記スリットからの抜け止めとなる係止片が連接され、
前記第１の側板には、前記スリットの少なくとも一部から前記折り曲げ線と交差する方向に延びる一対の開封用破断線と該開封用破断線の先端間に前記スリットと平行に形成された開封用折り曲げ線とにより囲まれた開封片が形成されており、該開封用破断線を破断して前記開封片を前記開封用折り曲げ線に沿って外側に折り曲げることで前記差込片が前記スリットから離脱可能となって開梱され、
前記差込片には、被係止部が形成され、
前記開封片には、前記スリットと前記開封用折り曲げ線との間において該スリットに平行に形成された折り曲げ線で折り曲げ可能、且つ、前記被係止部に係止可能な係止部が形成され、
前記開封用破断線を破断して開梱した後、前記差込片を前記スリットに差し込んで前記被係止部に前記係止部を係止させることで、再封緘されることを特徴とする梱包箱。
【請求項２】
前記開封用破断線は、前記スリットの両端のそれぞれから前記折り曲げ線と直交する方向に平行に延びるように形成されていることを特徴とする請求項１に記載の梱包箱。
【請求項３】
前記内フラップには、前記スリットに連続して設けられた開口部と、該開口部に連続して設けられて、内側に折り曲げられることで内部を仕切る仕切り片と、が形成されていることを特徴とする請求項１に記載の梱包箱。
【請求項４】
トナーカートリッジ、又は、トナーカートリッジ及び廃トナーボトルが梱包されることを特徴とする請求項１〜３のいずれか１項に記載の梱包箱。
【発明の詳細な説明】
【技術分野】
【０００１】
本発明は、破断線に沿って開封される梱包箱に関する。
【背景技術】
【０００２】
トナーカートリッジ等の消耗品用の梱包箱は、中身の抜き取りの防止のために、開封した形跡を視覚的に確認できるように構成されている場合が多い。例えば、一対の破断線によって形成されるジッパーなどの破断部を蓋に設け、この蓋を梱包箱の本体に固定し、破断部に沿って蓋を破断しない限り開封できないようになっている。蓋は本体に接着剤を用いて固定されたり、接着加工費を削減するために、抜け止めとなる係止片を用いたロック機構で固定されたりしている。
【０００３】
このようなジッパーを形成した梱包箱は、特許文献１〜特許文献４に記載されているように、数多く開示されている。特許文献１には、ジッパーを段ボール紙の厚さ方向に貫通させないように形成して、ジッパーでの強度低下を抑制した梱包箱が開示されている。特許文献２には、ジッパーを外フラップに設け、内フラップで開口を再開閉できるように構成した梱包箱が開示されている。特許文献３には、ジッパーの開始端部を掴みやすいように形成した梱包箱が開示されている。特許文献４には、天板と側板とにジッパーを形成して、容易に解体できるようにした梱包箱が開示されている。
【先行技術文献】
【特許文献】
【０００４】
【特許文献１】特開平７−２０５９７０号公報
【特許文献２】特開平９−３９９４９号公報
【特許文献３】特開平１０−２１８１６８号公報
【特許文献４】特開２００５−１０４５４８号公報
【発明の概要】
【発明が解決しようとする課題】
【０００５】
しかしながら上記の特許文献１〜特許文献４に記載されている梱包箱は、開封時にジッパーを完全に破り取る必要があるため、破り取られたジッパーがごみになってしまうという問題がある。また、梱包箱を再利用するためには、破断部に沿って蓋を切断した後も簡易的に再封緘できることが好ましい。
【０００６】
そこで本発明は上記事情を考慮し、破断部を破断することで開封可能に形成された梱包箱において、破断部をゴミとして発生させず、且つ、再封緘が可能な梱包箱を提供することを目的とする。
【課題を解決するための手段】
【０００７】
上記目的を達成するため、本発明の梱包箱は、対向して配置された第１の側板及び第２の側板と、前記第１の側板の端縁に折り曲げ線を介して連接されて、内側に折り曲げられる内フラップと、前記第２の側板の端縁に折り曲げ線を介して連接されて、内側に折り曲げられて前記内フラップの外側に重ねられる外フラップと、を備え、前記内フラップには前記折り曲げ線に沿ってスリットが形成され、前記外フラップの先端縁には前記スリットに差し込まれる差込片が形成されており、前記差込片の側縁には、折り畳むことで前記スリットに挿入可能となる一方で該スリットに挿入後には折り畳みが解除されて前記スリットからの抜け止めとなる係止片が連接され、前記第１の側板には、前記スリットの少なくとも一部から前記折り曲げ線と交差する方向に延びる開封用破断線が形成されており、該開封用破断線を破断することで前記差込片が前記スリットから離脱可能となって開梱されることを特徴とする。
【０００８】
このような構成を採用することにより、開封用破断線を破断しても分離される部位が存在しないので、ゴミが発生しない。
【０００９】
本発明の梱包箱において、前記差込片には、被係止部が形成され、前記第１の側板には、前記被係止部に係止される係止部が形成され、前記開封用破断線を破断して開梱した後、前記差込片を前記スリットに差し込んで前記被係止部に前記係止部を係止させることで、再封緘されることを特徴としても良い。
【００１０】
このような構成を採用することにより、開封後に梱包箱を簡易的に再封緘できる。
【００１１】
本発明の梱包箱において、前記開封用破断線は、前記スリットの両端のそれぞれから前記折り曲げ線と直交する方向に平行に延びるように形成されており、前記開封用破断線のそれぞれの先端間には、折り曲げ線が形成されていることを特徴としても良い。
【００１２】
このような構成を採用することにより、開封用破断線間の部分を開きやすくなるので、差込片を離脱させやすくなる。
【００１３】
本発明の梱包箱において、前記内フラップには、前記スリットに連続して設けられた開口部と、該開口部に連続して設けられて、内側に折り曲げられることで内部を仕切る仕切り片と、が形成されていることを特徴としても良い。
【００１４】
このような構成を採用することにより、２個以上の梱包物を異なる区画に収容することができる。
【００１５】
本発明の梱包箱において、トナーカートリッジ、又は、トナーカートリッジ及び廃トナーボトルが梱包されることを特徴としても良い。
【発明の効果】
【００１６】
本発明によれば、開封用破断線を破断しても分離される部位が存在しないので、ゴミが発生しない。
【図面の簡単な説明】
【００１７】
【図１】本発明の一実施形態に係る梱包箱を示す斜視図である。
【図２】本発明の一実施形態に係る梱包箱の展開図である。
【図３】本発明の一実施形態に係る梱包箱において、内フラップ折り曲げて仕切り片で内部を仕切った状態を示す斜視図である。
【図４】本発明の一実施形態に係る梱包箱において、係止片を折り畳んだ状態を示す斜視図である。
【図５】本発明の一実施形態に係る梱包箱において、開封用破断線を破断して開封片を折り曲げた状態を示す斜視図である。
【図６】本発明の一実施形態に係る梱包箱において、開封用破断線を破断して開封片を折り曲げた状態を示す側断面図である。
【図７】本発明の一実施形態に係る梱包箱を再封緘した状態を示す斜視図である。
【発明を実施するための形態】
【００１８】
以下、図面を参照しつつ本発明の一実施形態に係る梱包箱について説明する。
【００１９】
図１及び図２を参照して、トナーカートリッジが梱包される梱包箱について説明する。図１は梱包箱の斜視図、図２は梱包箱の展開図である。以下の説明において、前後方向及び左右方向及び上下方向は図１に示される方向を示す。
【００２０】
梱包箱１は、図１に示されるように、四角筒状の胴部２と、胴部２の上端縁に連接される蓋フラップ３と、胴部２の下端縁に連接される底フラップ４と、を備え、図２に示されるように一枚のシート材料を組み立てることで形成される。シート材料は、例えば高強度の段ボール材料を使用することができる。段ボール材料は、中芯の波目の稜線方向が、梱包箱１の上下方向と一致するように方向が決められている。
【００２１】
胴部２は、対向する前側板１１（第１の側板）及び後側板１２（第２の側板）と、対向する左側板１３及び右側板１４と、を有する。一対の前後側板と１１、１２と一対の左右側板１３、１４とは折り曲げ線１５、１６、１７を介して交互に連接されている。後側板１２の側縁には折り曲げ線１８を介して接着片１９が連接されている。
【００２２】
前側板１１には、上端縁から下方に平行に延びる一対の開封用破断線２１によって開封片２２が形成されている。開封片２２の幅は前側板１１の幅の半分程度であり、開封片２２の高さは前側板１１の高さの三分の一程度である。一対の開封用破断線２１の下端間には、折り曲げ線２３が形成されている。また、開封片２２には、中央よりもやや左寄りの位置に、上端縁と平行な折り曲げ線２４に沿って折り曲げ可能な差込片２５（係止部）が形成されている。差込片２５の両側縁には、三角形状の抜け止め部が形成されている。
【００２３】
蓋フラップ３は、前後側板１１、１２の上端縁にそれぞれ折り曲げ線２６、２７を介して連接された内フラップ３１及び外フラップ３２と、左右側板１３、１４の上端縁にそれぞれ折り曲げ線３４、３５を介して連接された蓋受けフラップ３７、３８と、を有する。
【００２４】
内フラップ３１には、前側板１１に形成された一対の開封用破断線２１のそれぞれの上端から連続するように、折り曲げ線２６に沿ってスリット４１が形成されている。さらに、スリット４１の両端よりも内側から、横長の長方形状の開口部４２が連続して形成されている。
【００２５】
また、開口部４２の両側方には、折り曲げ線２６と直交する方向に延びる折り曲げ線４４を介して折り曲げ片４５が連接されている。各折り曲げ片４５は、先端縁が内フラップ３１の側縁と連続し、折り曲げ線２６の側と反対側の側縁の外側に、隙間Ｇが開くように形成されている。さらに、隙間Ｇと開口部４２との間には、折り曲げ線２６と平行な内折り曲げ線４６を介して、仕切り片４７が連接されている。各内折り曲げ線４６に沿って、横長の逆台形状の開口４８が形成されている。また、仕切り片４７の先端の中央には、所定の幅を有する突部４９が形成されている。
【００２６】
外フラップ３２には、先端縁に沿った折り曲げ線５１を介して差込片５２が連接されている。差込片５２の幅は、内フラップ３１に形成されたスリット４１の幅と等しい。差込片５２の両側縁には、折り畳み線５３を介して係止片５４がそれぞれ連接されている。各係止片５４は、折り曲げ線５１に沿う方向における外方向に向かって先細となる形状であり、差込片５２の側縁において、折り曲げ線５１から所定の間隔を開けて形成されている。さらに、差込片５２には、中央よりもやや右寄りの位置に、扁平な逆台形状のスリット５５（被係止部）が形成されている。
【００２７】
底フラップ４は、前後側板１１、１２の下端縁にそれぞれ折り曲げ線６１、６２を介して連接された外フラップ６３、６４と、左右側板１３、１４の下端縁にそれぞれ折り曲げ線６６、６７を介して連接された内フラップ６８、６９と、を有する。
【００２８】
後側板１２に連接された外フラップ６４には、折り曲げ線６２と平行な３本の第１〜第３折り曲げ線７１、７２、７３を介して、折り曲げ線６２側から順に第１〜第４区画７４、７５、７６、７７に区分けされている。
【００２９】
第１区画７４には、折り曲げ線６２の中央に沿ってスリット８１が形成されている。第２区画７５には、第１折り曲げ線７１に沿って所定の間隔を開けて２つの開口８２、８３が形成されている。左側板寄りの開口８２は、幅の広い横長の長方形と幅の狭い横長の長方形を段違いに組み合わせた形状であり、右側板寄りの開口８３は、幅の広い横長の長方形と幅の狭い横長の長方形とを、上下に組み合わせた形状である。さらに、第２区画７５には、第３区画７６と共に切り起こされる切り起こし部８４、８５が、それぞれ開口８２、８３に連続して形成されている。また、切り起こし部８４、８５の間には、第２折り曲げ線７２を跨いで横長の長方形状の開口８６が形成されている。さらに、第３折り曲げ線７３の中央には、円形の開口８７が形成されている。第４区画７７の先端の中央には、所定の幅を有する突部８８が形成されている。
【００３０】
また、外フラップ６４は、第１区画７４から第３区画７６までの側縁が、徐々に内側に傾斜するように形成されている。
【００３１】
上記構成を有する梱包箱１を組み立てる手順について、図２と、図３及び図４を参照して説明する。図３は内フラップを折り曲げた状態を示し、図４は差込片の係止片を折り畳んだ状態を示す。
【００３２】
まず、各側板１１、１２、１３、１４を各折り曲げ線１５、１６、１７に沿って内側に直角に折り曲げ、さらに、接着片１９を折り曲げ線１８で折り曲げて左側板１４に接着して、上下の開口を有する四角筒状の胴部２を形成する。次に、底フラップ４の各フラップ６３、６４、６８、６９を組み立てて、胴部２の下側開口を封止する。この際、外フラップ６４については、第１〜第３折り曲げ線７１、７２、７３を所定の方向に折り曲げて、後側板１２に沿うように底上げ部を形成する。
【００３３】
そして、蓋フラップ３の内フラップ３１を折り曲げ線２６で内側に折り曲げると共に、内折り曲げ線４６で仕切り片４７を内側に折り曲げる。これにより、図３に示されるように、胴部２の中空部は、仕切り片４７によって、後側板側の空間Ｓ１と前側板側の空間Ｓ２とに区画される。後側板側の空間Ｓ１には、フラップ６４によって形成された底上げ部が下方に形成される。前側板側の空間Ｓ２は、開口部４２を通して被梱包物が出し入れされる。例えば、後側板側の空間Ｓ１には、底上げ部上にトナーカートリッジＣが載置されて収容され、前側板側の空間Ｓ２には廃トナーボトルＢが収容される。
【００３４】
次に、蓋受けフラップ３７、３８を折り曲げた後、外フラップ３２を折り曲げ線２７で内側に折り曲げる。さらに、差込片５２を折り曲げ線５１に沿って折り曲げ、図４に示されるように、折り畳み線５３に沿って各係止片５４を差込片５２に重なるように折り畳んだ後、内フラップ３１のスリット４１に挿入する。差込片５２がスリット４１に挿通された後、各係止片５４は折り畳みが解除されて、係止片５４によって差込片５２がスリット４１に抜け止めされ、外フラップ３２が内フラップ３１に係止される。これにより梱包箱１が封緘される（図１参照）。
【００３５】
梱包箱１を開梱する手順について、図５及び図６を参照して説明する。図５は梱包箱の破断線を破断した状態を示す斜視図であり、図６は側断面図である。開梱する際は、まず、前側板１１に形成された一対の開封用破断線２１を上端から破断し、図５に示されるように、開封片２２を折り曲げ線２３に沿って外側に折り曲げると、前側板１１に、スリット４１の幅と等しい幅の開口Ｐが形成される。そして差込片５２を開くと、図６に示されるように、係止片５４は開口Ｐを通って抜け出す。こうして差込片５２を開き、その後、外フラップ３２を外側に開くことで梱包箱１が開梱される。
【００３６】
梱包箱１を再封緘する手順について、図７を参照して説明する。図７は再封緘した梱包箱を示す斜視図である。再封緘する際には、開封片２２は外側に折り曲げておく。そして、外フラップ３２を封緘時と同様に内フラップ３１に係止する（図５参照）。その後、開封片２２に形成された差込片２５を折り曲げ線２４で内側に折り曲げた後、開封片２２を折り曲げ線２３で内側に折り曲げて、差込片２５を差込片５２のスリット５５に挿入する（図６参照）。これにより、梱包箱１が再封緘される。
【００３７】
上記説明したように本発明の梱包箱１においては、開封用破断線２１を破断しても、前側板１１から切り離される部分が存在しないので、ごみの発生を防止できる。また、開梱後に、外フラップ３２を差込片５２によって内フラップ３１に係止し、開封片２２の差込片２５を差込片５２のスリット５５に係止させることで、簡易的な再封緘が可能となる。さらに、外フラップ３２と内フラップ３１とを差込片５２をスリット４１に係止させることで両フラップを固定しているので、接着加工する必要がない。
【００３８】
なお、開封用破断線２１は、スリット４１の一方の端部から連続するように形成してもよいが、スリット４１の両端のそれぞれから、折り曲げ線２６と直交する方向と平行に形成し、各開封用破断線２１の下端間に折り曲げ線２３を形成することにより、開梱する際に、開封片２２を折り曲げやすくなる。さらに、開口Ｐの面積を広くすることができ、差込片５２を開口Ｐを通して離脱させやくなる。
【００３９】
また、内フラップ３１に仕切り片４７を設けたので、別部材を使用することなく梱包箱１の内部を二つの区画に仕切ることができ、各区画にそれぞれ被梱包物を収容できる。
【００４０】
なお、本発明の梱包箱１は、トナーカートリッジや廃トナーボトル以外の消耗品や食料品等の梱包に使用することができる。
【００４１】
さらに、上記した本発明の実施形態の説明は、本発明に係る梱包箱における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４２】
１  梱包箱
１１  前側板（第１の側板）
１２  後側板（第２の側板）
２１  開封用破断線
２３  折り曲げ線
２５  差込片（係止部）
２６、２７  折り曲げ線
３１  内フラップ
３２  外フラップ
４１  スリット
４２  開口
４７  仕切り片
５２  差込片
５４  係止片
５５  スリット（被係止部）
【図１】
0006295989.tif 000002
【図２】
0006295989.tif 000003
【図３】
0006295989.tif 000004
【図４】
0006295989.tif 000005
【図５】
0006295989.tif 000006
【図６】
0006295989.tif 000007
【図７】
0006295989.tif 000008